(57)【特許請求の範囲】
【請求項１】
外槽（３）、内槽（４）を含み、外槽（３）と内槽（４）との間の空洞（５）内に、外槽の内壁および内槽の外壁を洗浄する洗浄顆粒（６）を有する自動洗浄洗濯機であって、
外槽の排水口（３１）部分に洗浄顆粒を収集、収容する収容空洞（１）が接続され；前記排水口（３１）部分に遮断カバー（２）が設けられ、遮断カバー（２）が洗濯機内の水位の変化または制御装置の作用に伴って上昇または下降することにより、排水口（３１）が開くか、または少なくとも一部が閉じ、これにより洗浄顆粒（６）は制御可能に空洞（５）に流入するか、または収容空洞（１）に戻ることを特徴とする自動洗浄洗濯機。
【請求項２】
遮断カバー（２）の密度が洗濯水の密度より低いか、または遮断カバー（２）に中空の、上昇作用力を提供する浮力空洞（２０）を設けて、遮断カバー（２）を外槽（３）中の水位の上昇に伴って上昇させ、低下に伴って下降させることができることを特徴とする、請求項１に記載の自動洗浄洗濯機。
【請求項３】
前記遮断カバー（２）が排水口（３１）を覆うカバー板（２１）を含み；カバー板（２１）の下側に突出部（２９）が設けられ、カバー板（２１）の上昇後、突出部（２９）の少なくとも一部は排水口（３１）中にあり、これによりカバー板（２１）の水平位置を制限し；
前記突出部（２９）の下端に、水平に突出する留め具（２４）が設けられ、前記留め具（２４）が排水口（３１）と組み合わさって係着し；留め具（２４）とカバー板（２１）との間の距離が、内外槽底の間の間隙より小さく、洗浄顆粒の直径より大きいことを特徴とする、請求項１または２に記載の自動洗浄洗濯機。
【請求項４】
遮断カバー（２）本体に、独立して設置される中空部が設けられるか、または接続され、中空部が浮力空洞（２０）を構成し；
前記浮力空洞（２０）が密閉して設置されるか、または下端のみ開口して設置され、洗濯機の洗濯またはすすぎ時に、浮力空洞（２０）中に空気が充満し、遮断カバー（２）に上昇作用力を提供することを特徴とする、請求項２に記載の自動洗浄洗濯機。
【請求項５】
前記遮断カバー（２）は中空が設けられたスリーブ（２３）を含み、スリーブ（２３）の中空部が浮力空洞（２０）を構成し；スリーブ（２３）がカバー板（２１）の下側に設けられ、スリーブ（２３）の上端が密閉され、下端は開口し；
前記スリーブ（２３）はカバー板（２１）と同軸に設置され、スリーブ（２３）は垂直に延伸することを特徴とする、請求項４に記載の自動洗浄洗濯機。
【請求項６】
カバー板（２１）と外槽（３）との間、ならびに／またはカバー板（２１）に、外槽（３）中の洗濯水を収容空洞（１）に流入させる間隙が設けられることを特徴とする、請求項３〜５のいずれか１項に記載の自動洗浄洗濯機。
【請求項７】
カバー板（２１）の外周部分に支持リブ（２２）が設けられ、カバー板（２１）は支持リブ（２２）により排水口（３１）の上方で支持され；カバー板（２１）と外槽（３）との間に、外槽（３）中の洗濯水を収容空洞（１）に流入させる間隙が設けられ；
カバー板（２１）の外周に、カバー板（２１）の径方向に沿って延伸する複数の支持リブ（２２）が設けられ、支持リブ（２２）は排水口（３１）の外周に突出して設置され；支持リブ（２２）はカバー板（２１）の厚さより厚く、支持リブ（２２）の下側がカバー板（２１）の下側面から突出して設置され、支持リブ（２２）の支持の下、カバー板（２１）は排水口（３１）から一定の距離で隔たり、洗濯水が収容空洞（１）に流入する間隙を構成することを特徴とする、請求項６に記載の自動洗浄洗濯機。
【請求項８】
隣接する支持リブ（２２）の間は一定の角度で隔たり、隣接する支持リブ（２２）の間の距離は洗浄顆粒（６）の直径より小さく；
前記支持リブ（２２）は楔形を呈し、支持リブ（２２）はカバー板（２１）の外側部分から外側に向かって次第に高さが狭まり、支持リブ（２２）の下側面は傾斜し；排水口（３１）部分の外槽部は、支持リブ（２２）の下側面と組み合わさり、上から下まで次第に狭まる錘状面を呈することを特徴とする、請求項７に記載の自動洗浄洗濯機。
【請求項９】
遮断カバー（２）が垂直に設置されるスクリュ（２８）と接続され；洗濯機に制御モータ（２７）がさらに設けられ、制御モータ（２７）の出力端はスクリュ（２８）と螺合され、遮断カバー（２）が制御モータ（２７）の出力端の回転に伴って上昇または下降することを特徴とする、請求項１〜８のいずれか１項に記載の自動洗浄洗濯機。
【請求項１０】
洗濯機が、収容空洞（１）とつながる排水管（１０）を含む排水構造をさらに含み、排水管（１０）が収容空洞（１）と接続する部分に、洗浄顆粒（６）の流出を阻止するろ過機構（８）が設けられることを特徴とする、請求項１〜９のいずれか１項に記載の自動洗浄洗濯機。
【発明の詳細な説明】
【技術分野】
【０００１】
本発明は洗濯機の分野に関し、特に内外槽間で洗浄顆粒を利用し、水流に伴って内外槽間の槽壁を自動洗浄する自動洗浄洗濯機であり、特に洗浄顆粒を収集することができる自動洗浄洗濯機の収容装置に関する。
【背景技術】
【０００２】
既存のパルセータ式洗濯機の内、外槽間は閉鎖された環境であり、水流しか通過することができない。洗濯機の上記構造の制限性および使用環境の特殊性により、３〜５ヶ月使用すると、内槽の外壁および外槽の内壁に汚れが付着する。これにより様々な程度の細菌が繁殖し、繁殖した細菌のほとんどは人体に有害である。
【０００３】
人々の生活水準の向上および生活の質に対する要求の上昇に伴い、洗濯機の衛生的な問題はすでに解決する必要に迫られている。関連する科学研究機構の洗濯機の内部環境に対する調査は、洗濯機の内部汚染の深刻さが次第に消費者に重視されていることを示している。洗濯機の洗濯物に対する二次的な汚れを根本的に防止するため、さらにユーザの健康に対してより責任を負うため、洗濯機の内部環境の洗浄は、すでに克服する必要に迫られた問題となっている。
【０００４】
中国特許第２００８２０１８３３０８．４号明細書は、槽間の洗浄を備えた２重槽洗濯機を開示している。これは内槽と、外槽と、内外槽壁を洗浄する複数の円形シリコーンゴムボールと、を含む。衣類洗濯時の内槽の回転による水の流動を利用して、洗濯機の内槽、外槽間のシリコーンゴムボールを運動させ、絶えず内外槽の両壁に衝突させることにより、内外槽壁を洗浄する目的を達成する。
【０００５】
しかし、上記洗濯機の構造は、排水後、ゴムボールまたは可撓性顆粒が槽内で自由に散らばった状態にあり、高速脱水過程で大きな騒音が生じる。さらに洗濯機のエネルギー消費が増加し、洗濯機の寿命に影響を及ぼす。
【０００６】
したがって、洗濯機にゴムボールまたは可撓性顆粒を入れる収容空洞を設置する必要がある。これによりゴムボールまたは可撓性顆粒は洗濯過程において、内外槽間で水流に伴って移動して槽壁を洗浄し、脱水過程では収容空洞中に収容され、脱水時に生じる騒音を低下させる。
【０００７】
しかし、いかにして洗濯機に収容空洞を設置するか、およびいかにして収容空洞を洗濯機のプログラムの変化に伴って開閉させるかは、迅速な解決が待たれる問題となっている。
【０００８】
このことを考慮して、特に本発明を示す。
【先行技術文献】
【特許文献】
【０００９】
【特許文献１】中国特許第２００８２０１８３３０８．４号明細書
【発明の概要】
【発明が解決しようとする課題】
【００１０】
本発明が解決しようとする技術的問題は、既存技術の不足を克服することであり、内外槽間に洗浄顆粒を有して、槽壁を洗浄する機能を備えた自動洗浄洗濯機を提供する。
【００１１】
本発明のもう１つの目的は、上記洗浄顆粒が洗濯機の脱水時に内外槽間に流入するのを阻止する遮断カバーを提供することである。
【課題を解決するための手段】
【００１２】
上記技術的問題を解決するため、本発明が採用する技術案の基本的構想は次の通りである。
自動洗浄洗濯機において、前記洗濯機は外槽３、内槽４を含み、外槽３と内槽４との間の空洞５内に、外槽の内壁および内槽の外壁を洗浄する洗浄顆粒６を有する。外槽の排水口３１部分に、洗浄顆粒を収集、収容する収容空洞１が接続される。前記排水口３１部分に遮断カバー２が設けられ、遮断カバー２が洗濯機内の水位の変化または制御装置の作用に伴って上昇または下降することにより、排水口３１が開くか、または少なくとも一部が閉じる。これにより洗浄顆粒６は制御可能に空洞５に流入するか、または収容空洞１に戻る。
【００１３】
さらに、遮断カバー２の本体に、独立して設置される中空部が設けられるか、または接続され、中空部は浮力空洞２０を構成する。遮断カバー２の密度が洗濯水の密度より低いか、または遮断カバー２に中空の、上昇作用力を提供する浮力空洞２０を設けて、遮断カバー２を外槽３中の水位の上昇に伴って上昇させ、低下に伴って下降させることができる。
【００１４】
さらに、前記遮断カバー２は排水口３１を覆うカバー板２１を含み、カバー板２１の下側に突出部２９が設けられる。カバー板２１の上昇後、突出部２９の少なくとも一部は排水口３１中にあり、これによりカバー板２１の水平位置を制限する。
好ましくは、前記突出部２９の下端に、水平に突出する留め具２４が設けられ、前記留め具２４は排水口３１と組み合わさって係着する。留め具２４とカバー板２１との間の距離は、内外槽底の間の間隙より小さく、洗浄顆粒の直径より大きい。
さらに好ましくは、前記突出部２９は、カバー板２１の下側が下に垂直に延伸した位置制限ストップバー２６を少なくとも２つ含む。位置制限ストップバー２６の下端部に外側に突出する留め具２４が設けられ、留め具２４は排水口３１の外周と組み合わさって係着する。カバー板２１を外槽３に対して一定の高さに上昇させることができ、これにより洗浄顆粒６を収容空洞１から流出または流入させる。
【００１５】
さらに、前記浮力空洞２０は密閉して設置されるか、または下端のみ開口して設置される。洗濯機の洗濯またはすすぎ時に、浮力空洞２０中に空気が充満し、遮断カバー２に上昇作用力を提供する。
【００１６】
さらに、前記遮断カバー２は中空が設けられたスリーブ２３を含み、スリーブ２３の中空部は浮力空洞２０を構成する。スリーブ２３はカバー板２１の下側に設けられ、スリーブ２３の上端は密閉され、下端は開口する。
好ましくは、前記スリーブ２３はカバー板２１と同軸に設置され、スリーブ２３は垂直に延伸する。
【００１７】
さらに、カバー板２１と外槽３との間、ならびに／またはカバー板２１に、外槽３中の洗濯水を収容空洞１に流入させる間隙が設けられる。したがって、遮断カバーが下降して排水口部分に位置するとき、外槽中の洗濯水は依然として収容空洞に流入することができ、これにより外槽中の洗濯水を排水口から全て排出することができることを保証する。さらに、洗濯水が浮力空洞に対して上昇する浮力を生じさせて、遮断カバーを上昇させる。これにより遮断カバーが排水口を全て閉じ、洗濯水が収容空洞に流入することができず、浮力空洞が浮力を提供することができず、遮断カバーが上昇して開くことができなくなるのを防止した。
【００１８】
さらに、カバー板２１の外周部分に支持リブ２２が設けられ、カバー板２１は支持リブ２２により排水口３１の上方で支持される。カバー板２１と外槽３との間に、外槽３中の洗濯水を収容空洞１に流入させる間隙が設けられる。
好ましくは、カバー板２１の外周に、カバー板２１の径方向に沿って延伸する複数の支持リブ２２が設けられ、支持リブ２２は排水口３１の外周に突出して設置される。支持リブ２２はカバー板２１の厚さより厚く、支持リブ２２の下側はカバー板２１の下側面から突出して設置される。支持リブ２２の支持の下、カバー板２１は排水口３１から一定の距離で隔たり、洗濯水が収容空洞１に流入する間隙を構成する。
【００１９】
さらに、隣接する支持リブ２２の間は一定の角度で隔たり、隣接する支持リブ２２の間の距離は洗浄顆粒６の直径より小さい。
好ましくは、前記支持リブ２２は楔形を呈する。支持リブ２２はカバー板２１の外側部分から外側に向かって次第に高さが狭まり、支持リブ２２の下側面は傾斜する。排水口３１部分の外槽部は、支持リブ２２の下側面と組み合わさり、上から下に次第に狭まる錘状面を呈する。
【００２０】
さらに、遮断カバー２１は垂直に設置されるスクリュ２８と接続される。洗濯機に制御モータ２７がさらに設けられ、制御モータ２７の出力端はスクリュ２８と螺合される。遮断カバー２１は、制御モータ２７の出力端の回転に伴って上昇または下降する。
【００２１】
さらに、洗濯機は、収容空洞１とつながる排水管１０を含む排水構造をさらに含む。排水管１０が収容空洞１と接続する部分に、洗浄顆粒６の流出を阻止するろ過構造８が設けられる。
【００２２】
本発明において、洗濯機が様々なプログラムを実行するとき、遮断カバーの具体的な動作過程は以下の通りである。
１、洗濯機の取水時、洗濯機の外槽中に取水される。洗濯水の水位が上昇し、排水口の少なくとも一部が開くまで遮断カバーは上昇し、洗浄顆粒を排水口から内外槽間に流入させる。好ましくは、この過程において、収容空洞中に洗濯水が流入する。さらに浮力空洞は下端しか開口していないため、浮力空洞中に依然として空気が充満し、遮断カバーに上昇作用力を提供する。
２、洗濯機の排水時、洗濯水の水位が低下する。遮断カバーが下降し、洗浄顆粒は水流に伴って排水口から収容空洞中に戻る。
３、洗濯機の脱水時、遮断カバーは排水口部分に位置し、洗浄顆粒は収容空洞中にある。
【００２３】
本発明の前記洗浄顆粒は、洗濯過程で洗濯機の内外槽間に浮くことができ、水流に伴って内外槽壁に衝突する。内外槽壁に衝突および摩擦することにより、槽壁の洗浄を実現する。洗浄終了後、排水過程において、洗浄顆粒は排水に伴って収容空洞内に流入する。すすぎの取水または次回の洗濯の取水時、洗浄顆粒は取水水位の上昇に伴って、排水口から浮き、顆粒収容空洞から内外槽間に進入する。
【００２４】
内外槽間に洗浄顆粒を入れて内外槽壁を洗浄することにより、汚れが付着せず、細菌が繁殖しない。洗浄顆粒はスポンジ系の物質でよく、ゴムまたはプラスチック発泡体、例えば発泡ゴム、発泡プラスチック、複合ポリウレタンフォームなどでもよい。好ましくは吸着性を有する材料を採用することにより、槽壁の洗浄効果がより良好になる。洗浄顆粒は一定の弾性を有する必要があり、乾燥状態でその密度は水より小さい。水中で水を浸透させる性質を有し、価格は安く、耐摩耗性が高い。
【００２５】
洗浄顆粒は球状、四角状、楕円球状、円柱体状、正四面体またはその他の不規則な塊状の顆粒物質であり、その個数は３〜５０個である。これらの顆粒の密度は水より小さく、一定の弾性および耐摩耗性を有する。
【発明の効果】
【００２６】
上記技術案を採用すると、本発明は既存技術と比較して以下の有益な効果を有する。
【００２７】
本発明の前記自動洗浄洗濯機内に槽壁を洗浄する洗浄顆粒を有し、さらに排水口部分に、洗浄顆粒が脱水時に内外槽間に流入するのを阻止する遮断カバーが設けられる。これにより収容空洞中の洗浄顆粒が内槽の高速回転に伴って吸引され、収容空洞から内外槽間に進入することはなく、騒音を防止する。
【００２８】
本発明において、遮断カバーを構成する材質の密度を、水より低くすることにより、遮断カバーは洗濯水の水位に伴って、自動で上昇または下降することができる。さらに、遮断カバーに中空の浮力空洞を設けて、遮断カバーの全体密度を低下させることにより、遮断カバーは同様に洗濯水の水位に伴って、自動で上昇または下降することができる。より特別に、浮力空洞は上端が密閉され、下端が開口したスリーブからなり、これにより洗濯機の洗濯またはすすぎ過程で、圧力差の作用の下、浮力空洞内に依然として空気が充満し、遮断カバーの上昇作用力を保証する。
【００２９】
本発明の前記洗濯機の洗濯過程において、パルセータまたは内槽が絶えず正、逆方向に回転するため、内外槽間の水は内槽中の水と交換され、水流が形成される。内外槽間に入れた洗浄顆粒は水中で流れ、内外槽壁に衝突、摩擦する。さらに水の浸漬補助作用下で、内外槽壁および内槽底部の付着物を処理し、汚れの発生を根本的に阻止し、細菌の繁殖を根絶する。ユーザが衣類を洗濯するのと同時に、内外槽の洗浄も行い、洗濯するときはいつでも洗浄し、汚れを残さず、きれいで安心である。
【００３０】
以下、図を組み合わせて、本発明の具体的な実施方式について、さらに詳細に記載する。
【図面の簡単な説明】
【００３１】
【図１】図１は、本発明における洗濯機の脱水または未動作時の部分構造の概要図である。
【図２】図２は、本発明における洗濯機の洗濯またはすすぎ時の部分構造の概要図である。
【図３】図３は、本発明の一実施例における洗浄顆粒収容装置の構造概要図である。
【図４】図４は、本発明の遮断カバーが閉じたときの構造概要図である。
【図５】図５は、本発明の遮断カバーが開いたときの構造概要図である。
【図６】図６は、本発明の遮断カバーの構造概要図である。
【図７】図７は、本発明のもう１つの実施例における洗浄顆粒収容装置の構造概要図である。
【図８】図８は、本発明のもう１つの実施例における洗濯機の洗濯またはすすぎ時の部分構造の概要図である。
【図９】図９は、本発明のもう１つの実施例における遮断カバーの構造概要図である。
【発明を実施するための形態】
【００３２】
図１から図７に示すように、本発明の前記自動洗浄洗濯機は外槽３、内槽４を含み、内槽４と外槽３との間の空洞５内に、外槽の内壁および内槽の外壁を洗浄する洗浄顆粒６を有する。前記外槽３の底部に排水口３１が設けられ、排水口３１部分に洗浄顆粒を収容、収集する収容空洞１が設けられる。前記排水口３１部分に遮断カバー２が設けられ、遮断カバー２が洗濯機内の水位の変化に伴って上昇または下降することにより、排水口３１が開くか、または少なくとも一部が閉じる。これにより洗浄顆粒６は制御可能に内外槽間の空洞５に流入するか、または収容空洞１に戻る。
【００３３】
本発明において、洗濯機が様々なプログラムを実行するときの、遮断カバーの具体的な動作状態は以下の通りである。
１、洗濯機の取水時、洗濯水の水位が上昇する。排水口の少なくとも一部が開くまで遮断カバーが上昇し、洗浄顆粒を排水口から内外槽間に流入させる。
２、洗濯機の排水時、洗濯水の水位が低下する。遮断カバーが下降し、同時に洗浄顆粒は水流に伴って排水口から収容空洞中に戻る。
３、洗濯機の脱水または未動作時、遮断カバーは排水口部分に位置し、洗浄顆粒は収容空洞中に収容される。
【００３４】
遮断カバーを設置することにより、洗濯機の脱水時、収容空洞中の洗浄顆粒が内槽の高速回転に伴って吸引され、収容空洞から内外槽間に進入することはなく、騒音を防止する。
【実施例】
【００３５】
実施例１
図４および図５に示すように、本実施例において、前記遮断カバー２は排水口を覆うカバー板２１を含む。カバー板２１の密度は洗濯水の密度より低く、遮断カバー２は外槽３中の水位の上昇に伴って上昇し、低下に伴って下降することができる。これにより、遮断カバー２は洗濯機の洗濯またはすすぎ時に、洗濯水の水位に伴って上昇し、洗浄顆粒６は内外槽間の空洞５中に流入する。洗濯機の脱水時は排水口３１部分に位置し、洗浄顆粒を収容空洞１中に位置させ、槽壁に衝突するのを防止する。
【００３６】
実施例２
図１から図６に示すように、本実施例において、前記遮断カバー２に中空の、上昇作用力を提供する浮力空洞２０を設けることにより、遮断カバー２の全体密度が低下する。遮断カバーに浮力空洞を設置することにより、密度が比較的大きい材質からなる遮断カバーが、やはり外槽中の洗濯水の水位の上昇に伴って上昇し、低下に伴って下降することができる。
【００３７】
本実施例において、前記浮力空洞２０は密閉して設置されるか、または下端のみが収容空洞１とつながる。洗濯機の洗濯またはすすぎ時に、浮力空洞２０中に空気が充満することにより、遮断カバー２に上昇作用力を提供する。
【００３８】
図３に示すように、前記遮断カバー２は中空が設けられたスリーブ２３を含み、スリーブ２３の中空部は浮力空洞２０を構成する。前記スリーブ２３はカバー板２１の下側に設けられ、遮断カバー２が排水口に位置するとき、スリーブ２３は収容空洞１中にある。スリーブ２３の上端はカバー板２１と接続され、上端は密閉される。スリーブ２３の下端に開口２５が設けられ、これにより浮力空洞２０はスリーブ２３の下端の開口２５のみを介して収容空洞１とつながる。したがって、収容空洞中に洗濯水が流入すると、圧力の作用下で、浮力空洞内に依然として空気が充満し、これにより遮断カバーの全体密度が小さくなり、遮断カバーに上昇する浮力を提供する。
【００３９】
好ましくは、前記スリーブ２３はカバー板２１と同軸に設置され、スリーブ２３は垂直に延伸する。
【００４０】
実施例３
本実施例において、外槽中の洗濯水を収容空洞中に流入させるため、カバー板２１の外周部分に支持リブ２２が設けられ、カバー板２１は支持リブ２２により排水口３１の上方に支持される。カバー板２１と外槽３との間に、外槽中の洗濯水を収容空洞１に流入させる間隙が設けられる。したがって、遮断カバー２が下降して排水口３１部分に位置するとき、外槽３中の洗濯水は依然として収容空洞１に流入することができ、これにより外槽３中の洗濯水を排水口３１から全て排出することができることを保証する。さらに、洗濯機の取水過程において、洗濯水を先に収容空洞１中に流入させることができ、浮力空洞２０に上昇する浮力が生じて、遮断カバー２を上昇させる。
【００４１】
図３から図６に示すように、本実施例において、カバー板２１の外周に、カバー板２１の径方向に沿って延伸する複数の支持リブ２２が設けられ、支持リブ２２は排水口３１の外周に突出して設置される。支持リブ２２はカバー板２１の厚さより厚く、支持リブ２２の下側はカバー板２１の下側面から突出して設置される。支持リブ２２の支持の下、カバー板２１は排水口３１から一定の距離で隔たり、洗濯水が収容空洞１に流入する間隙を構成する。
【００４２】
本実施例において、隣接する支持リブ２２の間は一定の角度で隔たり、隣接する支持リブ２２の間の距離は洗浄顆粒６の直径より小さい。これにより、洗浄顆粒が洗濯水に伴って上昇するとき、洗浄顆粒が直接排水口から上に向かって垂直に上昇するのを防止し、洗浄顆粒の内槽底に対する衝撃強度を低下させる。さらに好ましくは、各支持リブは等間隔の角度で設置される。
【００４３】
本実施例において、カバー板２１の外周直径は、排水口３１の直径よりやや小さい。これにより洗濯水は隣接する支持リブの間の間隙を経て、直接垂直に収容空洞中に流入することができる。
【００４４】
図３に示すように、本実施例において、前記支持リブ２２は楔形を呈する。支持リブ２２はカバー板２１の外側部分から外側に向かって次第に高さが狭まり、支持リブ２２の下側面は傾斜する。排水口３１部分の外槽部は、支持リブ２２の下側面と組み合わさり、上から下に次第に狭まる錘状面を呈する。したがって、洗浄顆粒は錘状面の作用下で、排水水流に伴って迅速に収容空洞中に流入し、これにより洗浄顆粒の収集効率を高める。
【００４５】
実施例４
本実施例において、カバー板２１の下側に突出部２９が設けられる。カバー板２１の上昇後、突出部２９の少なくとも一部は排水口３１中にあり、これによりカバー板２１の水平位置を制限する。したがって、上昇後のカバー板２１は終始排水口３１の上方にあり、カバー板が洗濯水流に流され、排水口に戻ることができなくなるのを防止する。
【００４６】
図８および図９に示すように、遮断カバー２を錘状構造にすることができ、錘状構造の上表面はカバー板２１であり、下の錘状面は突出部２９である。図３に示すように、前記突出部２９を下向きに突出する位置制限ストップバー２６とすることもできる。本実施例において、突出部２９の高さは内槽底と外槽底との間の距離より大きく、これにより遮断カバー２の上昇または下降に関わらず、少なくとも一部の突出部２９が排水口３１中にあることを保証する。
【００４７】
図３に示すように、突出部２９の下端に、水平に突出する留め具２４を設けることもできる。前記留め具２４は排水口３１と組み合わさって係着し、これにより遮断カバーが上昇すると、留め具により排水口３１の上方に位置制限される。留め具２４とカバー板２１との間の距離は、洗浄顆粒の直径より大きい必要があり、これにより遮断カバー２が上昇する高さは、洗浄顆粒６を排水口３１に通すことができる。好ましくは、留め具２４とカバー板２１との間の距離は、内槽底と外槽底との間の距離より小さい。これにより遮断カバーが上昇した後、内槽底と接触するのを防止し、洗濯過程における内槽の摩損を低下させる。
【００４８】
図６に示すように、本実施例において、前記突出部２９は、カバー板２１の下側が下に垂直に延伸した位置制限ストップバー２６を少なくとも２つ含む。位置制限ストップバー２６の下端部に外側に突出する留め具２４が設けられ、留め具２４は排水口３１の外周と組み合わさって係着する。カバー板２１を外槽３に対して一定の高さに上昇させることができ、カバー板２１を排水口３１の上方に水平に位置制限する。好ましくは、前記位置制限ストップバー２６は排水口３１の外周に密着するように設置され、各位置制限ストップバー２６はカバー板２１に対して中心対称に設置され、留め具２４はカバー板２１の径方向に沿って外側に突出するように設置される。
【００４９】
実施例５
図７に示すように、本実施例において、遮断カバー２は垂直に設置されるスクリュ２８と接続され、スクリュ２８は収容空洞１中に垂直に貫通して設置される。スクリュ２８の上端は遮断カバー２のカバー板２１と固定接続され、下端は収容空洞１の底部を貫通する。本実施例において、収容空洞１の下部にさらに制御モータ２７が設けられ、制御モータ２７の出力端は雌ネジを有するウォーム歯車からなり、スクリュ２８の外周壁にウォーム歯車と噛み合う雄ネジを有する（図示せず）。これにより制御モータ２７の出力端およびスクリュ２８はウォームギア構造を構成し、遮断カバー２が制御モータ２７の出力端の回転に伴って上昇または下降することを実現する。上記設置により、遮断カバーがモータの制御下で上昇または下降する目的を達成し、洗濯水を排出すると、遮断カバーが閉じ、洗浄顆粒が収容空洞に戻ることができなくなるのを防止した。
【００５０】
実施例６
図１および図２に示すように、本実施例において、洗濯機はさらに排水装置を含む。前記排水装置は収容空洞１とつながる排水空洞７を含み、排水空洞７内に排水バルブ９が取り付けられる。排水空洞７の下方に、洗濯機の排水管１０と接続される出水口が設けられ、出水口の上方に、通じるオーバーフロー管接続口が設けられる。排水空洞７と収容空洞１との接続部分に、洗浄顆粒６の流出を阻止するろ過機構８が設けられる。好ましくは、前記ろ過機構８は遮断格子または網からなる。
【００５１】
本発明において、前記収容空洞１は外槽３の下方に設けられ、収容空洞１の上壁に外槽底に設けられる排水口３１と通じる開口部が設けられる。このうち、図１および図２に示すように、開口部、収容空洞１、排水空洞７は順番に通じてＬ状の出水通路を構成する。
【００５２】
好ましくは、収容空洞の上壁は周辺から開口部部分に向かって上に傾斜する（図示せず）。該傾斜方向により、洗浄顆粒は水位の上昇に伴って開口部部分に向かって流れ、さらには排水口を介して内、外槽間の空洞内に進入する。排水および脱水過程において、洗浄顆粒６は排水水流に伴って収容空洞内に流入し、再び取水するとき、洗浄顆粒は収容空洞の水位の上昇に伴って上に流れる。洗浄顆粒は該傾斜方向に沿って移動し、つまり上に傾斜して運動する。これにより開口部内に進入するのがより便利であり、その後排水口を介して内外槽間に進入する。
【００５３】
実施例７
本実施例において、衣類の洗濯過程で、洗浄顆粒は水中に浮くことができ、洗濯機の内外槽間で水流に伴って内外槽壁に衝突する。内外槽壁に衝突および摩擦することにより、洗濯機の内外槽壁の洗浄を実現する。洗浄終了後、排水過程で、洗浄顆粒は排水に伴って収容空洞内に流入する。すすぎの取水または次回の洗濯の取水時に、洗浄顆粒は取水水位の上昇に伴って、排水口から浮き、顆粒収容空洞から内外槽間に進入する。
【００５４】
内外槽間に洗浄顆粒を入れて内外槽壁を洗浄することにより、汚れが付着せず、細菌が繁殖しない。洗浄顆粒はスポンジ系の物質でよく、ゴムまたはプラスチック発泡体、例えば発泡ゴム、発泡プラスチック、複合ポリウレタンフォームなどでもよい。好ましくは吸着性を有する材料を採用することにより、槽壁の洗浄効果がより良好になる。洗浄顆粒は一定の弾性を有する必要があり、乾燥状態でその密度は水より小さい。水中で水を浸透させる性質を有し、価格は安く、耐摩耗性が高い。
【００５５】
洗浄顆粒は球状、四角状、楕円球状、円柱体状、正四面体またはその他の不規則な塊状の顆粒物質であり、その個数は３〜５０個である。これらの顆粒密度は水より小さく、一定の弾性および耐摩耗性を有する。
【００５６】
上記実施例中の実施案はさらに組み合わせるか、または置換することができ、また実施例は本発明の好ましい実施例を記載したに過ぎず、本発明の構想および範囲を限定しない。本発明の設計の発想を逸脱しない前提の下、当業者が本発明の技術案に対して行う各種の変更および改良は、いずれも本発明の保護範囲に属する。
【符号の説明】
【００５７】
１  収容空洞
２  遮断カバー
３  外槽
４  内槽
５  空洞
６  洗浄顆粒
７  排水空洞
８  ろ過機構
９  排水バルブ
１０  排水管
２０  浮力空洞
２１  カバー板
２２  支持リブ
２３  スリーブ
２４  留め具
２５  開口
２６  位置制限ストップバー
２７  制御モータ
２８  スクリュ
２９  突出部
３１  排水口
【図１】
0006544602.tif 000002
【図２】
0006544602.tif 000003
【図３】
0006544602.tif 000004
【図４】
0006544602.tif 000005
【図５】
0006544602.tif 000006
【図６】
0006544602.tif 000007
【図７】
0006544602.tif 000008
【図８】
0006544602.tif 000009
【図９】
0006544602.tif 000010